(57)【特許請求の範囲】
【請求項１】
マルチモード端末によって、第１通信モードにおける現在の信号のＣＩＮＲ値及びＲＳＳＩ値とを取得し、前記ＣＩＮＲ値及び前記ＲＳＳＩ値の両方が事前設定の切替条件に合致するか否かを判断するステップとを備え、
もし、合致する場合、
前記マルチモード端末の現在の移動速度を取得するステップと、
前記移動速度に基づいた時間の長さを有する切替遅延を選択するステップと、
前記選択された遅延に基づき第２通信モードへ切り替えるステップと、
第２通信モードを使用することにより通信するステップとをさらに備え、
前記選択された遅延に基づき第２通信モードへ切り替えるステップは、
前記遅延が選択された後、前記遅延の計時を開始するステップと、
前記選択された遅延の終了時に前記第２通信モードへ切り替えるステップとを備えるマルチモードハンドオーバーの方法。
【請求項２】
前記移動速度に基づき切替遅延を選択するステップは、
前記移動速度が事前設定の速度閾値以上である否かを判断するステップと、
前記移動速度が前記事前設定の速度閾値以上である場合、前記切替遅延として事前設定の第１遅延を選択するステップと、
そうでない場合、前記切替遅延として事前設定の第２遅延を選択するステップとを備え、
前記第１遅延は、前記第２遅延よりも長い請求項１に記載の方法。
【請求項３】
前記選択された遅延の終了時に第２通信モードへ切り替えるステップは、
前記選択された遅延の終了時に、前記選択された遅延の間で前記ＣＩＮＲ値及び前記ＲＳＳＩ値が常に前記事前設定の切替条件と合致するか否かを判断するステップと、
もし、合致する場合、前記第２通信モードへ切り替えるステップとを備える請求項１に記載の方法。
【請求項４】
前記ＣＩＮＲ値及び前記ＲＳＳＩ値の両方が事前設定の切替条件に合致するか否かを判断するステップは、
前記ＣＩＮＲ値が事前設定のＣＩＮＲ閾値以下であるか否かと、前記ＲＳＳＩ値が事前設定のＲＳＳＩ閾値以下であるか否かとを判断するステップと、
前記ＣＩＮＲ値及び前記ＲＳＳＩ値の各々が前記事前設定の閾値以下である場合、前記ＣＩＮＲ値及び前記ＲＳＳＩ値の両方が前記事前設定の切替条件に合致すると決定するステップとを備える請求項１から３のいずれか１項に記載の方法。
【請求項５】
マルチモード端末であって、
第１通信モードにおける現在の信号のＣＩＮＲ値及びＲＳＳＩ値を取得するように構成された第１取得モジュールと、
前記ＣＩＮＲ値及び前記ＲＳＳＩ値の両方が事前設定の切替条件に合致するか否かを判断するように構成された判断モジュールと、
前記判断モジュールが前記ＣＩＮＲ値及び前記ＲＳＳＩ値の両方が前記事前設定の切替条件に合致すると決定した後に、前記マルチモード端末の現在の移動速度を取得するように構成された第２取得モジュールと、
前記第２取得モジュールにより取得された前記移動速度に基づいた時間の長さを有する切替遅延を選択するように構成された選択モジュールと、
前記選択モジュールにより選択された前記遅延に基づき第２通信モードへ切り替えるとともに、前記第２通信モードを使用することにより通信するように構成された切替モジュールとを備え、
前記切替モジュールは、前記選択モジュールが前記遅延を選択した後に前記選択された切替遅延の計時を開始するとともに、前記選択モジュールにより選択された切替遅延の終了時に前記第２通信モードへ切り替えるように構成された切替ユニットを備えるマルチモード端末。
【請求項６】
前記選択モジュールは、
前記第２取得モジュールにより取得された前記移動速度が事前設定の速度閾値以上であるか否かを判断するように構成された判断ユニットと、
前記判断ユニットが、前記移動速度が前記事前設定の速度閾値以上であると決定した後に、前記切替遅延として事前設定の第１遅延を選択するように構成された第１選択ユニットと、
前記判断ユニットが、前記移動速度が前記事前設定の速度閾値よりも小さいと決定した後に、前記切替遅延として事前設定の第２遅延を選択するように構成された第２選択ユニットとを備え、
前記第１遅延は、前記第２遅延よりも長い請求項５に記載のマルチモード端末。
【請求項７】
前記判断モジュールは、前記選択された遅延の終了時に、前記選択モジュールにより選択された遅延の間で、前記第１取得モジュールにより取得された前記ＣＩＮＲ値及び前記ＲＳＳＩ値が常に前記事前設定の切替条件と合致するか否かを判断するように構成され、
前記切替モジュールは、前記判断モジュールが、前記選択モジュールにより選択された遅延の間で、前記ＣＩＮＲ値及び前記ＲＳＳＩ値が常に前記事前設定の切替条件と合致すると決定した後、前記第２通信モードへ切り替えるようにさらに構成される請求項６に記載のマルチモード端末。
【請求項８】
前記判断モジュールは、前記ＣＩＮＲ値が事前設定のＣＩＮＲ閾値以下であるか否かと、前記ＲＳＳＩ値が事前設定のＲＳＳＩ閾値以下であるか否かとを判断し、前記ＣＩＮＲ値及び前記ＲＳＳＩ値の各々が前記事前設定の閾値以下である場合、前記ＣＩＮＲ値及び前記ＲＳＳＩ値の両方が前記事前設定の切替条件に合致すると決定するように構成される請求項５から７のいずれか１項に記載のマルチモード端末。
【発明の詳細な説明】
【技術分野】
【０００１】
本願発明は、通信分野、特にマルチモードハンドオーバーの方法及びマルチモード端末に関する。
【背景技術】
【０００２】
無線通信技術の発達に伴って、異なる無線通信技術に基づく複数の無線ネットワークが存在する。地理的範囲などの理由のために無線ネットワークがマルチモード端末(multimode terminal)にサービスの提供を持続できない場合、マルチモード端末は、接続ネットワークを再選択するとともに、現在の無線ネットワーク上の通信モードから、新たに接続される無線ネットワーク上の通信モードへ切り替えることができる。現在の問題は、どのようにマルチモード端末が通信モードを感度良く切り替えるかということである。
【０００３】
従来技術では、マルチモード端末は、現在の無線ネットワークの信号品質に基づき、通信モードを切り替えるか否かを判断する。信号品質の測定基準(metrics)が、切替条件に合致するとき、マルチモード端末の通信モードは切り替えられる。
【０００４】
本発明の開発に際して、発明者は少なくとも以下の従来技術における問題に気付いた。
【０００５】
高速で移動するマルチモード端末が異なる無線ネットワーク間で頻繁にハンドオーバーされるとき、信号は大きく変動する。これは、通信モード間の頻繁な切り替えを引き起こすとともに、ユーザーの体感に影響を及ぼす。仮に、通信モードの切替遅延(switching delay)が大きくなると、低速で移動するマルチモード端末は、通信モードを感度良く切替することができない。これもまたユーザーの体感に影響を及ぼす。
【発明の概要】
【課題を解決するための手段】
【０００６】
通信モードの切替頻度(switching frequency)を減少させるため、及び通信モードを感度良く切替するために、本発明の実施形態は、マルチモードハンドオーバーの方法、及びマルチモード端末を提供する。本発明の実施形態の中で提供される技術的解決方法は、以下の通りである。
【０００７】
一態様において、マルチモードハンドオーバーの方法が提供される。
前記方法は、マルチモード端末が第１通信モードにおける現在の信号のＣＩＮＲ(carrier to interference plus noise)値及びＲＳＳＩ(received signal strength indicator)値を取得するステップと、マルチモード端末がＣＩＮＲ値及びＲＳＳＩ値の両方が事前設定の切替条件に合致するか否かを判断するステップとを備え、もし、合致する場合、マルチモード端末の現在の移動速度を取得するステップと、移動速度に基づき切替遅延を選択するステップと、選択された遅延に基づき第２通信モードへ切り替えるステップと、第２通信モードを使用することにより通信するステップとを備える。
【０００８】
他の態様において、マルチモード端末がさらに提供される。マルチモード端末は、第１通信モードにおける現在の信号のＣＩＮＲ(carrier to interference plus noise)値及びＲＳＳＩ(received signal strength indicator)値を取得するように構成された第１取得モジュールと、ＣＩＮＲ値及びＲＳＳＩ値の両方が事前設定の切替条件に合致するか否かを判断するように構成された判断モジュールと、判断モジュールがＣＩＮＲ値及びＲＳＳＩ値の両方が事前設定の切替条件に合致すると決定した後に、マルチモード端末の現在の移動速度を取得するように構成された第２取得モジュールと、第２取得モジュールにより取得された移動速度に基づき切替遅延を選択するように構成された選択モジュールと、選択モジュールにより選択された遅延に基づき第２通信モードへ切替するとともに、第２通信モードを使用することにより通信するように構成された切替モジュールとを備える。
【発明の効果】
【０００９】
本発明の実施形態において提供される技術的解決方法の利点は以下の通りである。
【００１０】
第１通信モードにおける現在の信号のＣＩＮＲ値及びＲＳＳＩ値の両方が事前設定の切替条件に合致した後、マルチモード端末の現在の移動速度が取得され、移動速度に基づき切替遅延が選択され、第１通信モードが第２通信モードへ切り替えられる。このようにして、通信モード間の頻繁な切替の問題が避けられ、かつ通信モード切替の感度が向上する。よって、通信性能が改善される。
【００１１】
本発明の実施形態における技術的解決方法のより良い理解のために、実施形態を説明するための添付の図面が以下で簡潔に説明される。一見すると以下の説明内の添付の図面は、本発明のいくつかの実施形態のみを説明するように見えるが、当業者は、創作的努力なしに、これら添付の図面から他の図面を導き出すことが可能である。
【図面の簡単な説明】
【００１２】
【図１】本発明の第１実施形態に基づくマルチモードハンドオーバーの方法のフローチャートである。
【図２】本発明の第２実施形態に基づくマルチモードハンドオーバーの方法のフローチャートである。
【図３】本発明の第３実施形態に基づくマルチモード端末のブロック図である。
【図４】本発明の第３実施形態に基づく他のマルチモード端末のブロック図である。
【図５】本発明の第３実施形態に基づく更なる他のマルチモード端末のブロック図である。
【発明を実施するための形態】
【００１３】
本発明の目的、技術的解決方法、及び利点のより良い理解のために、添付の図面の参照とともに以下で本発明の実施形態がより詳細に説明される。
【００１４】
＜実施形態１＞
図１で示されるように、本実施形態は、マルチモードハンドオーバーの方法を提供する。当該方法の手順は、具体的には以下のようである。
【００１５】
１０１．マルチモード端末は、第１通信モードにおける現在の信号のＣＩＮＲ(Carrier to Interference plus Noise Ratio，搬送波レベル対干渉・雑音比)値及びＲＳＳＩ(Received Signal Strength Indication，受信信号強度)値を取得するとともに、ＣＩＮＲ値及びＲＳＳＩ値の両方が事前設定の切替条件に合致するか否かを判断する。
【００１６】
１０２．合致する場合、マルチモード端末の現在の移動速度を取得し、当該移動速度に基づき切替遅延を選択し、選択された遅延に基づき第２通信モードへ切り替え、第２通信モードを使用することによって通信する。
【００１７】
移動速度に基づき切替遅延を選択するステップは、移動速度が事前設定の速度閾値以上であるか否かを判断するステップと、移動速度が事前設定の速度閾値以上である場合、切替遅延として事前設定の第１遅延を選択するステップと、移動速度が事前設定の速度閾値よりも小さい場合、切替遅延として事前設定の第２遅延を選択するステップとを備える。ここで、第１遅延は、第２遅延よりも長い。
【００１８】
選択された遅延に基づき第２通信モードへ切り替えるステップは、具体的には、遅延が選択された後、時間調整を開始するステップと、選択された遅延の終了時に第２通信モードへ切り替えるステップとを備える。
【００１９】
選択された遅延の終了時に第２通信モードへ切り替えるステップは、さらに、選択された遅延の終了時に、選択された遅延の間でＣＩＮＲ値及びＲＳＳＩ値が常に事前設定の切替条件と合致するか否かを判断するステップと、合致する場合、第２通信モードへ切り替えるステップとを備える。
【００２０】
ＣＩＮＲ値及びＲＳＳＩ値の両方が事前設定の切替条件に合致するか否かを判断するステップは、好ましくは、
ＣＩＮＲ値が事前設定のＣＩＮＲ閾値以下であるか否かと、ＲＳＳＩ値が事前設定のＲＳＳＩ閾値以下であるか否かとを判断するステップと、
ＣＩＮＲ値及びＲＳＳＩ値の各々が事前設定の閾値以下である場合、ＣＩＮＲ値及びＲＳＳＩ値の両方が事前設定の切替条件に合致すると決定するステップとを備える。
【００２１】
マルチモード端末の通信モードは、３Ｇ(3rd-generation，第３世代移動通信技術)通信モード、ＷｉＭＡＸ(Worldwide Interoperability for Microwave Access，ワイマックス)通信モード、ＬＴＥ(Long Term Evolution，ロング・ターム・エボリューション)通信モード、ＧＳＭ（登録商標）(Global System of Mobile communication，ジーエスエム)通信モード、ＷｉＦｉ(Wireless Fidelity，ワイファイ)通信モードを含むが、これらに限定されない。また、マルチモード端末の移動速度を測定するための方法は、ＧＰＳ(Global Positioning System，全地球測位システム)速度測定法を含むが、これに限らない。これらの通信モード及び速度測定法は、本発明において、限定されない。
【００２２】
本実施形態で提供されるマルチモードハンドバーの方法を使用することにより、第１通信モードにおける現在の信号のＣＩＮＲ値及びＲＳＳＩ値の両方が事前設定の切替条件に合致した後、マルチモード端末の現在の移動速度が取得され、移動速度に基づき切替遅延が選択され、マルチモード端末は、第２通信モードへ切り替える。このようにして通信モード間の頻繁な切替の問題が避けられ、かつ通信モード切替の感度が向上する。よって、通信性能が改善される。
【００２３】
加えて、マルチモード端末が高速で移動している場合では、第１遅延が切替遅延として選択され、マルチモード端末が低速で移動している場合では、第２遅延が切替遅延として選択される。ここで、第１遅延は、第２遅延よりも長い。通信モードが同一の遅延の使用によって切り替えられている場合、このようにして敏感な切り替えの問題を避けられる。よって、通信性能が改善される。さらに、現在の信号のＣＩＮＲ値及びＲＳＳＩ値が、選択された遅延の間で、常に切替条件と合致するか否かが測定、及び判断される。もし現在の信号が、選択された遅延の間で切替条件に常に合致する場合、通信モードは変更される。これは、信号品質の安定を確保し、ユーザーの体感を向上させる。
【００２４】
第１実施形態で提供されるマルチモードハンドオーバーの方法をより詳細に説明するために、第２実施形態を例示として、以下で第１実施形態を参照しながら詳細なマルチモードハンドオーバーの方法が説明される。詳細は以下の、第２実施形態で提供される。
【００２５】
＜第２実施形態＞
図２が示すように、本実施形態は、マルチモードハンドオーバーの方法を提供する。当該方法の手順は以下の通りである。
【００２６】
２０１．マルチモード端末が、第１通信モードにおける現在の信号のＣＩＮＲ値及びＲＳＳＩ値を取得する。
【００２７】
ＣＩＮＲは、搬送波レベル対干渉・雑音比を示す。マルチモード端末が干渉を相殺し、受信した信号を正しく復号化できることを確実にするためには、受信信号のＣＩＮＲは、基準範囲内でなければならない。ＲＳＳＩは、無線送信層(wireless transmission layer)の任意部分であり、リンク品質(link quality)を判断するために使用される。信号の過度の減衰を避けるため、かつマルチモード端末が所定の強度の信号を受信できることを確実にするために、受信信号のＲＳＳＩは、基準範囲内でなければならない。従って、ＣＩＮＲ及びＲＳＳＩは、無線ネットワークにおける信号品質を測定するために使用される重要な指標である。
【００２８】
移動過程において、マルチモード端末は、第１通信モードにおける現在の信号の品質を測定する必要がある。もし信号品質が第２通信モードへの切替の条件に合致している場合、マルチモード端末の第１通信モードは、通信のために第２通信モードへ切り替えられる。もし信号品質が第２通信モードへの切替の条件に合致しない場合、マルチモード端末の通信モードは、切り替えされない。信号品質の測定基準(metrics)は、ＣＩＮＲ及びＲＳＳＩである。従って、マルチモード端末は、信号のＣＩＮＲ値及びＲＳＳＩ値を計算するとともに、ＣＩＮＲ値及びＲＳＳＩ値が第２通信モードへの切り替えに対する事前設定の切替条件に合致するか否かを判断する必要がある。
【００２９】
具体的には、マルチモード端末は、ＣＩＮＲ値及びＲＳＳＩ値を様々な方法によって取得することができる。例えば、マルチモード端末は、無線通信システムにおけるユーザーの搬送電力(carrier power)Ｃと、無線通信システムにおけるセルの雑音干渉(noise interference)ＮＩとを取得し、搬送電力Ｃを雑音干渉ＮＩで割り、ＣＩＮＲ値を得る。その後、マルチモード端末は、重みをつけた搬送電力Ｃを雑音干渉ＩＮに足し、ＲＳＳＩ値を得る。本実施形態は、マルチモード端末によるＣＩＮＲ値及びＲＳＳＩ値の取得方法を特に限定しない。
【００３０】
２０２．マルチモード端末は、取得したＣＩＮＲ値が事前設定のＣＩＮＲ閾値以下であるか否かと、取得したＲＳＳＩ値が事前設定のＲＳＳＩ閾値以下であるか否かとを判断する。もし、真であれば、２０３が実行され、そうでなければ、２０７が実行される。
【００３１】
本ステップによると、マルチモード端末は、第２通信モードへの切り替えのためのＣＩＮＲ閾値及びＲＳＳＩ閾値を事前設定する必要がある。マルチモード端末は、取得したＣＩＮＲ値及びＲＳＳＩ値を、それぞれ事前設定した閾値と比較する。ＣＩＮＲ値が事前設定のＣＩＮＲ閾値よりも小さい又は等しく、かつＲＳＳＩ値が事前設定のＲＳＳＩ閾値以下である場合、ステップ２０３が実行される。そうでない、現在の第１通信モードにおける信号品質が切替条件に合致することができない場合、ステップ２０７が実行される。
【００３２】
本実施形態において、ＣＩＮＲ閾値及びＲＳＳＩ閾値は、実際の必要に基づいて設定されてよく、変更することが可能であり、本発明において特に限定しない。
【００３３】
２０３．マルチモード端末は、現在の移動速度を取得するとともに、ｘ移動速度が事前設定の速度閾値以上であるか否かを判断する。もしＹＥＳの場合、２０４が実行され、そうでない場合、２０５が実行される。
【００３４】
本ステップによると、現在の無線ネットワークの地理的範囲が新たに接続される無線ネットワークの地理的範囲と重なり合うことができるので、マルチモード端末は、現在の無線ネットワークと新たに接続される無線ネットワーク間を頻繁にハンドオーバーされる。これは、信号の大きな変動を引き起こし、通信モード間の頻繁な切り替えを引き起こす。この場合による通信モード間の切り替えを避けるために、本実施形態では、現在の信号のＣＩＮＲ値及びＲＳＳＩ値の両方が事前設定の切替条件に合致することが決定された後、マルチモード端末の移動速度に基づき、切替遅延がさらに設定される。マルチモード端末の移動速度が事前設定の速度閾値以上である場合、通信モード間の切替頻度は高く、長い第１遅延が、切替遅延として設定され得る。マルチモード端末の移動速度が事前設定の速度閾値よりも小さい場合、通信モード間の切替頻度は相対的に低く、短い第２遅延が切替遅延として設定され得る。加えて、第１遅延は、第２遅延よりも長く、よってマルチモード端末は、より感度良く、より正確に通信モードを切り替える。
【００３５】
具体的には、マルチモード端末は、速度閾値を事前設定し、ＧＰＳを使用することによってマルチモード端末の移動速度を取得し、取得した移動速度と事前設定の速度閾値とを比較する必要がある。もしＧＰＳによって取得されたマルチモード端末の移動速度が事前設定の速度閾値以上である場合、ステップ２０４が実行され、そうでない場合、ステップ２０５が実行される。速度閾値は、実際の必要に基づいて設定又は変更されてよく、本発明ではこれを特に限定しない。
【００３６】
更に、マルチモード端末は、様々な方法によって現在の移動速度を取得することが可能である。例えば、ＧＰＳが、固定時間区間(fixed time segment)Ｔ０でのマルチモード端末の位置を決定するために使用される。当該時間区間におけるマルチモード端末の変位Ｓ０が取得され、変位Ｓ０を時間Ｔ０で割ることで、マルチモード端末の移動速度が計算される。当業者は従来技術において速度を測定する方法が複数存在することを確実に理解できる。例えば、初期速度が設定された条件において速度センサを加えることによって速度が測定される。本実施形態は、マルチモード端末による移動速度の取得方法を特に限定しない。
【００３７】
２０４．マルチモード端末は、切替遅延として第１遅延を設定するとともに、時間調整を開始する。切替遅延の終了時、マルチモード端末は、切替遅延の間、ＣＩＮＲ値及びＲＳＳＩ値がそれぞれの閾値よりも常に小さい又は等しいか否かを判断し、ＹＥＳの場合、２０６が実行され、ＮＯの場合、２０７が実行される。
【００３８】
ステップ２０３においてマルチモード端末の移動速度が事前設定の速度閾値以上であると決定されたので、マルチモード端末は、第１遅延を切替遅延として選択するとともに、選択された第１遅延の間、ＣＩＮＲ及びＲＳＳＩがそれぞれ事前設定の閾値よりも常に小さい又は等しいか否かを判断する。もしＣＩＮＲ及びＲＳＳＩが、選択された第１遅延の間、事前設定のそれぞれの閾値以下である場合、信号品質は相対的に不安定であり、通信モードが切り替えされ得る。つまり、ステップ２０６が実行される。ＮＯの場合、信号品質は安定であり、マルチモード端末の通信モードは切り替えされない。つまり、ステップ２０７が実行される。
【００３９】
２０５．マルチモード端末は、切替遅延として第２遅延を選択するとともに、時間調整を開始する。切替遅延の終了時、マルチモード端末は、切替遅延の間、ＣＩＮＲ及びＲＳＳＩがそれぞれの閾値よりも常に小さい又は等しいか否かを判断し、ＹＥＳの場合、２０６が実行され、ＮＯの場合、２０７が実行される。ここで、第１遅延は、第２遅延よりも長い。
【００４０】
ステップ２０３において、マルチモード端末の移動速度が、事前設定の速度閾値よりも小さいと決定されたので、マルチモード端末は、第２遅延を切替遅延として選択するとともに、第２遅延の間、ＣＩＮＲ及びＲＳＳＩがそれぞれ事前設定の閾値よりも常に小さい又は等しいか否かを判断する。もしＣＩＮＲ及びＲＳＳＩが、事前設定のそれぞれの閾値よりも常に小さい又は等しい場合、信号品質は相対的に不安定であり、通信モードが切り替えされ得る。つまり、ステップ２０６が実行される。ＮＯの場合、信号品質は安定であり、マルチモード端末の通信モードは切り替えされない。つまり、ステップ２０７が実行される。
【００４１】
２０６．マルチモード端末は、第１通信モードを第２通信モードへ切り替えるとともに、第２通信モードを使用することにより通信する。その後、手順は終了する。
【００４２】
本ステップによると、マルチモード端末は、現在の第１ネットワークの信号品質が切替条件に合致し、かつ信号品質が不安定であると決定するので、マルチモード端末は、第１通信モードを第２通信モードへ切り替えるとともに、第２通信モードを使用することによって通信する。
【００４３】
２０７．マルチモード端末は、第１通信モードを使用することによって通信する。その後、手順は終了する。
【００４４】
本ステップによると、マルチモード端末は、第１通信モードにおける現在の信号品質が、安定であり、かつ第２通信モードへの切替条件に合致しないと決定するので、マルチモード端末は、現在の第１通信モードを使用することによって、通信を維持する。
【００４５】
より良い説明のために、本実施形態は、以下の仮定に基づくデュアルモード(dual-mode)端末による３Ｇ通信モードからＷｉＭＡＸ通信モードへの切替手順を説明する。３Ｇ通信モード及びＷｉＭＡＸ通信モードはサポートされており、ＧＰＳ速度測定機能を有するデュアルモード端末が使用される。デュアルモード端末は、はじめに、３Ｇ通信モードにおける現在の信号のＣＩＮＲ値及びＲＳＳＩ値の両方が事前設定の切替条件に合致するか否かを判断する。例えば、ＣＩＮＲの閾値は１０ｄｂ、ＲＩＳＳの閾値は−８０ｄｂｍと設定される。事前設定の切替条件は、ＣＩＮＲ値が１０ｄｂ以下である、かつＲＳＳＩ値が−８０ｄｂｍ以下であることである。もし、ＣＩＮＲ値及びＲＳＳＩ値が切替条件に合致しないと決定する場合、デュアルモード端末は、手順を終了するまで現在の３Ｇ通信モードを使用することにより通信を維持する。もし、ＣＩＮＲ値及びＲＳＳＩ値の両方が切替条件に合致すると決定する場合、デュアルモード端末は、デュアルモード端末の移動速度を取得するとともに、取得された移動速度を事前設定の速度閾値(例えば、２０ｋｍ／ｈ)と比較する。もし、取得された移動速度が事前設定の速度閾値以上である場合、デュアルモード端末は、長い第１遅延を切替遅延として選択し、時間調整を開始する。切替遅延の終了時に、デュアルモード端末は、ＣＩＮＲ値及びＲＳＳＩ値が、切替遅延の間、ＣＩＮＲ値及びＲＳＳＩ値が事前設定のそれぞれの閾値よりも常に小さい又は等しいか否かを判断する。もしＹＥＳの場合、デュアルモード端末は、現在の３Ｇ通信モードからＷｉＭＡＸ通信モードへ切り替え、ＷｉＭＡＸ通信モードを使用することによって通信する。そうでない場合、デュアルモード端末は、手順が終了するまで３Ｇ通信モードを使用することにより通信を維持する。もし、取得された移動速度が事前設定の速度閾値よりも小さい場合、デュアルモード端末は、短い第２遅延を切替遅延として選択するとともに、時間調整を開始する。ここで第１遅延は、第２遅延よりも長い。切替遅延の終了時に、デュアルモード端末は、切替遅延の間、ＣＩＮＲ値及びＲＳＳＩ値が、事前設定のそれぞれの閾値よりも常に小さい又は等しいか否かを判断する。もし、ＹＥＳの場合、デュアルモード端末は、現在の３Ｇ通信モードをＷｉＭＡＸ通信モードへ切り替えるとともに、ＷｉＭＡＸ通信モードを使用することによって通信する。ＮＯの場合、デュアルモード端末は、現在の３Ｇ通信モードを使用することによって通信を維持する。その後、手順を終了する。
【００４６】
本実施形態で提供されるマルチモードハンドオーバーの方法を使用することにより、第１通信モードにおける現在の信号のＣＩＮＲ値及びＲＳＳＩ値の両方が事前設定の切替条件に合致した後、マルチモード端末の現在の移動速度が取得され、移動速度に基づき切替遅延が選択され、マルチモード端末は第２通信モードへ切り替える。このようにして、通信モード間の頻繁な切り替えの問題が回避され、通信モード切替の感度が向上し、よって通信性能が改善される。
【００４７】
加えて、マルチモード端末が高速で移動している場合、第１遅延が切替遅延として選択され、マルチモード端末が低速で移動している場合、第２遅延が切替遅延として選択される。ここで第１遅延は第２遅延よりも長い。このようにして、同一の遅延を使用することによって通信モードが切り替えられる場合の、敏感な切り替えの問題を回避する。よって、通信性能が改善される。さらに、選択された遅延の間、現在の信号のＣＩＮＲ値及びＲＳＳＩ値が、常に切替条件に合致しているか否かを測定、及び判断する。もし選択された遅延の間、現在の信号が常に切替条件に合致している場合、通信モードは切り替えられ、信号品質の安定性が確保され、ユーザーの体感が向上する。
【００４８】
＜実施形態３＞
図３が示すように、本実施形態はマルチモード端末を提供する。当該マルチモード端末は、第１通信モードにおける現在の信号のＣＩＮＲ値及びＲＳＳＩ値を取得するように構成された第１取得モジュール３０１と、ＣＩＮＲ値及びＲＳＳＩ値の両方が事前設定の切替条件に合致するか否かを判断するように構成された判断モジュール３０２と、判断モジュール３０２がＣＩＮＲ値及びＲＳＳＩ値の両方が事前設定の切替条件に合致すると決定した後に、マルチモード端末の現在の移動速度を取得するように構成された第２取得モジュール３０３と、第２取得モジュール３０３により取得された移動速度に基づき切替遅延を選択するように構成された選択モジュール３０４と、選択モジュール３０４により選択された遅延に基づき第２通信モードへ切り替えるとともに、第２通信モードを使用することにより通信するように構成された切替モジュール３０５とを備える。
【００４９】
本実施形態において、図４が示すように選択モジュール３０４は、さらに、第２取得モジュール３０３により取得された移動速度が事前設定の速度閾値以上であるか否かを判断するように構成された判断ユニット３０４Ａと、判断ユニット３０４Ａが、移動速度が事前設定の速度閾値以上であると決定した後に、切替遅延として事前設定の第１遅延を選択するように構成された第１選択ユニット３０４Ｂと、判断ユニット３０４Ａが、移動速度が事前設定の速度閾値よりも小さいと決定した後に、切替遅延として事前設定の第２遅延を選択するように構成された第２選択ユニット３０４Ｃとを備える。ここで、第１遅延は、第２遅延よりも長い。
【００５０】
本実施形態において、図５が示すように、切替モジュール３０５は、
選択モジュール３０４が遅延を選択した後に時間調整を開始するとともに、選択モジュール３０４により選択された遅延の終了時に第２通信モードへ切り替えるように構成された切替ユニット３０５Ａを備える。
【００５１】
本実施形態において、判断モジュール３０２は、具体的には、選択された遅延の終了時に、選択モジュール３０４により選択された遅延の間で、第１取得モジュール３０１により取得されたＣＩＮＲ値及びＲＳＳＩ値が事前設定の切替条件と常に合致するか否かを判断するように構成される。
【００５２】
切替モジュール３０５は、判断モジュール３０２が、選択モジュール３０４により選択された遅延の間で、ＣＩＮＲ値及びＲＳＳＩ値が事前設定の切替条件と常に合致すると決定した後、第２通信モードへ切り替えるようにさらに構成される。
【００５３】
本実施形態において、判断モジュール３０２は、ＣＩＮＲ値が事前設定のＣＩＮＲ閾値以下であるか否かと、ＲＳＳＩ値が事前設定のＲＳＳＩ閾値以下であるか否かとを判断し、もし、真であれば、ＣＩＮＲ値及びＲＳＳＩ値の両方が事前設定の切替条件に合致すると決定するように構成される。
【００５４】
マルチモード端末の通信モードは、３Ｇ通信モード、ＷｉＭＡＸ通信モード、ＬＴＥ通信モード、ＧＳＭ（登録商標）通信モード、ＷｉＦｉ通信モードを含むが、これらに限定されない。マルチモード端末の移動速度測定モジュールは、ＧＰＳを含むが、これに限らない。
【００５５】
本実施形態で提供されるマルチモード端末は、方法の実施形態で提供されたどんなマルチモードハンドオーバーの方法をも実行することが可能である。詳細な過程は、方法の実施形態で説明されたので、ここでは詳しく説明しない。
【００５６】
本実施形態で提供されたマルチモード端末を使用することにより、第１通信モードにおける現在の信号のＣＩＮＲ値及びＲＳＳＩ値の両方が事前設定の切替条件に合致した後、マルチモード端末の現在の移動速度が取得され、移動速度に基づき切替遅延が選択され、マルチモード端末は第２通信モードへ切り替える。このようにして、通信モード間の頻繁な切り替えの問題が回避され、通信モード切替の感度が向上し、よってマルチモード端末の通信性能が改善される。
【００５７】
加えて、マルチモード端末が高速で移動している場合では、第１遅延が切替遅延として選択され、マルチモード端末が低速で移動している場合では、第２遅延が切替遅延として選択される。ここで、第１遅延は、第２遅延よりも長い。通信モードが同一の遅延の使用によって切り替えられている場合、このようにして敏感な切り替えの問題を避けられる。よって、マルチモード端末の通信性能が改善される。さらに、現在の信号のＣＩＮＲ値及びＲＳＳＩ値が、選択された遅延の間で、常に切替条件と合致するか否かが測定、及び判断される。もし現在の信号が、選択された遅延の間で切替条件に常に合致する場合、通信モードは変更される。これは、信号品質の安定性を確保し、ユーザーの体感を向上させる。
【００５８】
上述の機能モジュールの区分けは、単に、本実施形態で提供されたマルチモード端末が、マルチモード切替を実行する場合での例示に過ぎないことを注意する必要がある。実際の応用において、上記機能は、実際の必要に基づき異なる機能モジュールによって実行されてよい。つまり、上記機能の全て又は一部を完了するための端末の内部構造に基づき、異なる機能モジュールは分割される。加えて、上記の実施形態で提供されたマルチモード端末、及びマルチモードハンドオーバーの方法の実施形態は、同一の趣旨に基づいている。具体的な実行手順は、方法の実施形態で説明されたので、ここでは説明しない。
【００５９】
本発明の前述の実施形態の一連の番号は、単に説明を目的としたものであり、実施形態の優先順位を示すものではない。
【００６０】
本発明の実施形態に基づくステップの全て又は一部は、ソフトウェアの使用により実行することが可能であり、対応するソフトウェアプログラムは、コンパクトディスク又はハードディスクなどの読み取り可能記録媒体内に保存されてよい。
【００６１】
上述の説明は、単に本発明の例示的な実施形態を示すものであり、本発明を限定する意図ではない。いかなる改良、等価な置換、又は本発明の趣旨及び原則を逸脱せずに行われた改良も、本発明の保護範囲に属するべきである。
【符号の説明】
【００６２】
３０１  第１取得モジュール
３０２  判断モジュール
３０３  第２取得モジュール
３０４  選択モジュール
３０４Ａ  判断ユニット
３０４Ｂ  第１選択ユニット
３０４Ｃ  第２選択ユニット
３０５  切替モジュール
３０５Ａ  切替ユニット
【図１】
0005557261.tif 000002
【図２】
0005557261.tif 000003
【図３】
0005557261.tif 000004
【図４】
0005557261.tif 000005
【図５】
0005557261.tif 000006